(57)【要約】  【課題】  簡単な構成で、いわゆる面振れディスクを再生してもフラップに干渉することのないようにした、ディスクローディング装置を提供する。  【解決手段】  フラップ１の左右端近傍の下面側（ディスク側）に、それぞれ削除部ａ，ｂを設けた構成としている。また、削除部ａのフラップ中央側に隣接して面取り部ｃを設けている。さらに、面取り部ｃ及び削除部ｂのフラップ中央側にそれぞれ隣接してフラップ１の長手方向（左右方向）に延在するリブｄ，ｅを削除している。【選択図】      図１
2006351078.tif 000002
【特許請求の範囲】
【請求項１】
挿入口より挿入されたディスクを、シーソー様に回動可能なフラップの先端部と略鼓形
状に形成されてなるローラとの間で挟持し、前記ローラの回転により前記ディスクをセン
タリングしつつターンテーブルまで搬送するディスクローディング装置において、
前記フラップの前記ディスク側の面で、前記ディスクの再生時に該ディスクの外周縁部
近傍となる所定の部位を削除してなるディスクローディング装置であって、
削除する前記所定の部位は、前記ディスクが面振れディスクであったときに、該ディス
クの再生時にその外周縁部と干渉する部分であることを特徴とするディスクローディング
装置。
【請求項２】
挿入口より挿入されたディスクをフラップの先端部とローラとの間で挟持し、前記ロー
ラの回転により前記ディスクを搬送するディスクローディング装置において、
前記フラップの前記ディスク側の面で、前記ディスクの再生時に該ディスクの外周縁部
近傍となる所定の部位を削除してなることを特徴とするディスクローディング装置。
【請求項３】
削除する前記所定の部位は、前記ディスクが面振れディスクであったときに、該ディス
クの再生時にその外周縁部と干渉する部分であることを特徴とする請求項２に記載のディ
スクローディング装置。
【発明の詳細な説明】
【技術分野】
【０００１】
本発明は、ＣＤ，ＤＶＤ等のディスクを保持して当該ディスクをターンテーブルに載置
する、ディスクローディング装置に関するものである。
【背景技術】
【０００２】
従来より、このようなディスクに対して記録或いは再生を行うディスクプレーヤとして
、例えばケース外面に設けられたディスク挿入口からディスクを挿入することにより、こ
のディスクを所定位置に自動で搬入する形式の、いわゆるスロットインモデルのディスク
ローディング装置を備えたディスクプレーヤが知られている。
【０００３】
このようなディスクプレーヤは、上記ディスクローディング装置によって、前記挿入口
に挿入されたディスクを、ターンテーブル上の所定位置に移動させ、クランパーによりこ
のディスクをターンテーブル上に固定保持するようになっている。そして、ターンテーブ
ルを回転駆動することによりディスクを回転させ、回転するディスクの記録面に対してピ
ックアップにより信号を書き込み或いは読み出す構成としている。
【０００４】
図３は、従来のディスクローディング装置の挿入口に設けられるフラップを示す図であ
り、同図（ａ）は下面図、同図（ｂ）は平面図である。なお、正面図は図示を省略してい
る。同図に示すように、フラップ１は、左右方向に長い略長板状をしており、左右の側面
より突設する回動軸１ａ，１ｂを中心として、前後にシーソー様に回動自在である。また
、下面左端より下方へ延びる柱状の１ｃは、フラップ１を図示しない駆動機構により回動
駆動するためのレバーである。
【０００５】
図４は、上記フラップの要部拡大図であり、先端部の左側面図である。同図に示すよう
に、本例では、ディスク２をフラップ１とローラ３とにより上下面で挟み込み、搬送する
構成となっている。具体的にはまず、図の右側にある図示しない上記挿入口よりディスク
２が挿入されると、これによりフラップ１の先端部１ｄが押し上げられ、この先端部１ｄ
とその下側に設けたローラ３との間にディスク２が挟み込まれる。この状態でローラ３が
図示しない駆動機構により矢印方向に回転すると、その摩擦力によりディスク２がディス
クプレーヤの内部（図の左側）へと引き込まれる仕組みである。
【０００６】
図５は、ディスクローディング動作完了時の様子を示す図であり、ディスクプレーヤ内
部の概略構成を平面図で示している。同図に示すように、本例のディスクプレーヤにおい
ては、シャーシ４の前部にフラップ１が取り付けられ、またターンテーブル５が中心付近
に配置されている。なお、同図ではフラップ１は透視した状態で描いてある。
【０００７】
同図において、直径１２ｃｍの大径のディスク２がシャーシ４の前部に形成される挿入
口４ａから挿入されると、フラップ１のシャーシ４内部側にある先端部１ｄとその下側に
設けた図示しないローラ３との間に、ディスク２が図４で示したように挟み込まれ、この
状態でローラ３が回転すると、ディスク２がシャーシ４の内部へと引き込まれる。
【０００８】
そして、最終的には同図に示すように、ディスク２の中心孔がターンテーブル５に嵌合
し、図示しないクランパーが下降することにより、ターンテーブル５との間でディスク２
が挟み込まれ、チャッキングが終了する。なお、この状態ではフラップ１が回動してその
先端部１ｄがディスク２から浮き上がっているので、ターンテーブル５によりディスク２
が回転しても、通常はディスク２がフラップ１に接触することはない。
【０００９】
その他、ＤＶＤを搬送路の斜め上方へ引き抜いた場合でも、ＤＶＤの記憶層の損傷を防
止する構造を備えたとするディスク装置が、特許文献１に開示されている。これは、ディ
スクの挿排を行うスロットを有する筐体と、該筐体の内面に固定されかつディスクを案内
する案内部材と、該案内部材によって案内される前記ディスクに搬送力を付与するローラ
と、前記案内部材のうち、前記筐体に面しかつ前記スロット側に近い領域を薄肉にして該
領域と前記筐体の内面との間に形成された隙間とを備えるように構成されている。
【特許文献１】特開２００４−１３９６４０号公報
【発明の開示】
【発明が解決しようとする課題】
【００１０】
しかしながら、上記図３〜図５で説明した従来の構成において、ディスク２にいわゆる
面振れディスクが使用されたときに問題となる。面振れディスクとは、ディスクの外周縁
部において現状±０．５ｍｍの範囲で波打ちが生じた、表裏の面振れを有するディスクの
ことであり、このようなディスクがターンテーブル５により回転したときに、フラップ１
の下面に干渉する場合がある。
【００１１】
具体的には、上記図３及び図５で示したように、フラップ１の下面左右端近傍で、それ
ぞれ一点鎖線の円で囲まれたＡ部及びＢ部に、ディスク２の外周縁部が干渉することがあ
る。このような干渉が生じると、フラップ１にディスク２が繰り返し当接することによる
騒音が発生し、また甚だしい場合にはディスク２の再生が不可能となるおそれがある。
【００１２】
一方、上記特許文献１に記載されているような構成は、特に両面に記憶層を備えたＤＶ
Ｄをその本来想定されている搬送路に対して斜め上方へ引き抜いた場合でも、その記憶層
の損傷が生じることのないようにするものであって、いわゆる面振れディスクの再生時に
生じる不具合を防止しようとするものではなかった。
【００１３】
本発明は、以上のような問題点に鑑み、簡単な構成で、いわゆる面振れディスクを再生
してもフラップに干渉することのないようにした、ディスクローディング装置を提供する
ことを目的とする。
【課題を解決するための手段】
【００１４】
上記目的を達成するために、本発明では、挿入口より挿入されたディスクをフラップの
先端部とローラとの間で挟持し、前記ローラの回転により前記ディスクを搬送するディス
クローディング装置において、前記フラップの前記ディスク側の面で、前記ディスクの再
生時に該ディスクの外周縁部近傍となる所定の部位を削除してなることを特徴とする。
【００１５】
また、削除する前記所定の部位は、前記ディスクが面振れディスクであったときに、該
ディスクの再生時にその外周縁部と干渉する部分であることを特徴とする。
【発明の効果】
【００１６】
本発明によれば、簡単な構成で、いわゆる面振れディスクを再生してもフラップに干渉
することのないようにした、ディスクローディング装置を提供することができる。
【発明を実施するための最良の形態】
【００１７】
以下、本発明の実施の形態について、図面を参照しながら説明する。なお、上記従来の
技術と同様の機能を有する部分には同一の符号を付して、詳細な説明を適宜省略する。
【実施例１】
【００１８】
図１は、本発明の実施例１に係るディスクローディング装置の挿入口に設けられるフラ
ップの加工内容を示す図であり、同図（ａ）は下面図、同図（ｂ）は平面図である。また
、同図（ｃ）はＦＦ断面図、同図（ｄ）はＨＨ断面図である。さらに、同図（ｅ）は一点
鎖線で囲んだＥ部詳細図、同図（ｆ）はＧＧ断面図である。なお、正面図は図示を省略し
ている。同図（ａ）では、上述した従来のフラップから削除する部分を、各ハッチングで
表している。
【００１９】
本実施例では、同図に示すように、フラップ１の左右端近傍の下面側（ディスク側）に
、それぞれ削除部ａ，ｂを設けた構成としている。また、削除部ａのフラップ中央側に隣
接して面取り部ｃを設けている。さらに、面取り部ｃ及び削除部ｂのフラップ中央側にそ
れぞれ隣接してフラップ１の長手方向（左右方向）に延在するリブｄ，ｅを削除している
。
【００２０】
削除部ａは、同図（ｃ）に示すように、先端部１ｄに後続する二点鎖線で示した肉盛り
部分を削除し、フラップ１の下面Ｌと同一平面となるようにしたものである。また、削除
部ｂも同様にして、同図（ｄ）に示すように、先端部１ｄに後続する二点鎖線で示した肉
盛り部分を削除し、フラップ１の下面Ｌと同一平面となるようにしたものである。さらに
、面取り部ｃは、同図（ｅ），（ｆ）に示すように、削除部ａのフラップ中央側に隣接す
る部分を、フラップ中央に向かうほど深くなるように、下面Ｌから更に斜めに彫り込んだ
ものである。
【００２１】
図２は、本発明の実施例１に係るディスクローディング装置の挿入口に設けられるフラ
ップを示す図であり、同図（ａ）は下面図、同図（ｂ）は平面図である。なお、正面図は
図示を省略している。同図では、図１で示したフラップ１加工後の状態を示しており、図
１の要領で削除された部分を、各符号で示している。これらの削除された部分は、大径の
ディスク再生時にそのディスクの外周縁部近傍となる部位である。
【００２２】
なお、フラップ１に対する実際の削除加工は、このフラップ１を形成する樹脂金型の当
該部位を肉盛りすることによって行われる。このように、フラップ１下面側の所定の各部
位を削除することにより、いわゆる面振れディスク再生時にもそのディスクの外周縁部が
フラップ１の下面より離間してこれに干渉することがなくなり、干渉による騒音が防止さ
れ、また確実な再生が可能となる。従って、従来よりも品質の高い製品をユーザーに提供
することができる。
【図面の簡単な説明】
【００２３】
【図１】本発明の実施例１に係るディスクローディング装置の挿入口に設けられるフラップの加工内容を示す図。
【図２】本発明の実施例１に係るディスクローディング装置の挿入口に設けられるフラップを示す図。
【図３】従来のディスクローディング装置の挿入口に設けられるフラップを示す図。
【図４】フラップの要部拡大図であり、先端部の左側面図。
【図５】ディスクローディング動作完了時の様子を示す図。
【符号の説明】
【００２４】
１    フラップ
１ａ，１ｂ    回動軸
１ｃ    レバー
１ｄ    先端部
２    ディスク
３    ローラ
４    シャーシ
５    ターンテーブル
ａ，ｂ    削除部
ｃ    面取り部
ｄ，ｅ    リブ
【図１】
2006351078.tif 000003
【図２】
2006351078.tif 000004
【図３】
2006351078.tif 000005
【図４】
2006351078.tif 000006
【図５】
2006351078.tif 000007